【手続補正書】
【提出日】平成18年12月12日(2006.12.12)
【手続補正１】
【補正対象書類名】明細書
【補正対象項目名】発明の名称
【補正方法】変更
【補正の内容】
【発明の名称】情報処理装置およびその制御方法
【手続補正２】
【補正対象書類名】明細書
【補正対象項目名】特許請求の範囲
【補正方法】変更
【補正の内容】
【特許請求の範囲】
【請求項１】  動作終了処理が要求された際に、自装置内に処理が完了していない未完了印刷ジョブが存在するか否かを検出する未完了ジョブ検出手段と、
前記未完了印刷ジョブが検出された場合、その未完了印刷ジョブを代替処理可能な他の情報処理装置を決定する代替装置決定手段と、
前記決定された代替処理可能な他の情報処理装置に対し、前記未完了印刷ジョブを転送する転送手段と、
前記転送の終了後、前記動作終了処理を行う終了手段を有することを特徴とする情報処理装置。
【請求項２】  前記情報処理装置と通信可能な他の情報処理装置に関する情報を記憶するデータベース手段をさらに有し、
前記代替装置決定手段が前記データベース手段を用いて前記代替処理可能な他の情報処理装置を決定することを特徴とする請求項１記載の情報処理装置。
【請求項３】  前記代替装置決定手段が、前記情報処理装置が通信可能に接続された他の情報処理装置から取得した情報に基づいて前記代替処理可能な他の情報処理装置を決定することを特徴とする請求項１記載の情報処理装置。
【請求項４】  前記未完了印刷ジョブが複数存在した場合、前記代替装置決定手段が前記複数の未完了印刷ジョブのそれぞれについて前記代替処理可能な他の情報処理装置を決定することを特徴とする請求項１乃至請求項３のいずれか１項に記載の情報処理装置。
【請求項５】  前記未完了印刷ジョブが、前記情報処理装置が通信可能に接続された他の情報処理装置の印刷ジョブと関連づけされているグループジョブであるか否かを検出するグループジョブ検出手段をさらに有し、
前記代替装置決定手段が、前記グループジョブに対しては、そのグループジョブと関連づけされた印刷ジョブを有する他の情報処理装置を優先的に前記代替処理可能な他の情報処理装置として決定することを特徴とする請求項１乃至請求項４のいずれか１項に記載の情報処理装置。
【請求項６】  前記転送手段が、前記転送処理中であることを示す情報、前記転送処理が終了したことを示す情報及び前記代替処理可能な他の情報処理装置に関する情報のうち少なくとも１つを、前記情報処理装置と通信可能に接続された予め定められた他の情報処理装置に送信することを特徴とする請求項１乃至請求項５のいずれか１項に記載の情報処理装置。
【請求項７】  通信可能に接続された他の情報処理装置からの印刷ジョブ要求を管理し、予め定められた順序で前記印刷ジョブを通信可能に接続された印刷装置を用いて処理する印刷ジョブ管理手段を有する情報処理装置であって、
前記印刷ジョブ要求の要求元が変更された場合、前記印刷ジョブ管理手段が、前記要求元が変更された印刷ジョブの管理情報を、変更後の要求元に対応する情報に変更することを特徴とする情報処理装置。
【請求項８】  前記処理が完了した印刷ジョブについて、当該印刷ジョブの管理情報に基づいてその要求元に印刷ジョブの完了を通知する通知手段をさらに有することを特徴とする請求項７記載の情報処理装置。
【請求項９】  前記印刷ジョブ管理手段が、前記印刷ジョブ要求の中に、互いに関連づけされたグループジョブが含まれる場合、関連づけされた全てのグループジョブを連続して印刷処理するように管理を行うことを特徴とする請求項７又は請求項８記載の情報処理装置。
【請求項１０】  前記印刷ジョブ管理手段が管理する印刷ジョブの要求元情報処理装置からの探索要求に応答して、当該印刷ジョブを代替処理可能な他の情報処理装置を当該印刷ジョブの管理情報に基づき決定し、前記要求元情報処理装置に通知する探索手段をさらに有することを特徴とする請求項７乃至請求項９のいずれか１項に記載の情報処理装置。
【請求項１１】  前記印刷ジョブが、他の印刷ジョブと関連づけされているグループジョブである場合、前記探索手段が、前記印刷ジョブと関連づけされた印刷ジョブの要求元情報処理装置を前記代替処理可能な他の情報処理装置として優先的に決定することを特徴とする請求項１０に記載の情報処理装置。
【請求項１２】  前記探索手段が、前記代替処理可能な他の情報処理装置が決定できない場合、自らが存在する情報処理装置を前記代替処理可能な他の情報処理装置として決定することを特徴とする請求項１０又は請求項１１に記載の情報処理装置。
【請求項１３】  動作終了処理が要求された際に、自装置内に処理が完了していない未完了印刷ジョブが存在するか否かを検出する未完了ジョブ検出ステップと、
前記未完了印刷ジョブが検出された場合、その未完了印刷ジョブを代替処理可能な他の情報処理装置を決定する代替装置決定ステップと、
前記決定された他の情報処理装置に対し、前記未完了印刷ジョブを転送する転送ステップと、
前記転送の終了後、前記動作終了処理を行う終了ステップを有することを特徴とする情報処理装置の制御方法。
【請求項１４】  前記情報処理装置が、前記情報処理装置と通信可能な他の情報処理装置に関する情報を記憶するデータベース手段をさらに有し、
前記代替装置決定ステップが前記データベース手段を用いて前記代替処理可能な他の情報処理装置を決定することを特徴とする請求項１３記載の情報処理装置の制御方法。
【請求項１５】  前記代替装置決定ステップが、前記情報処理装置が通信可能に接続された他の情報処理装置から取得した情報に基づいて前記代替処理可能な他の情報処理装置を決定することを特徴とする請求項１３記載の情報処理装置の制御方法。
【請求項１６】  前記未完了印刷ジョブが複数存在した場合、前記代替装置決定ステップが前記複数の未完了印刷ジョブのそれぞれについて前記代替処理可能な他の情報処理装置を決定することを特徴とする請求項１３乃至請求項１５のいずれか１項に記載の情報処理装置の制御方法。
【請求項１７】  前記未完了印刷ジョブが、前記情報処理装置が通信可能に接続された他の情報処理装置の印刷ジョブと関連づけされているグループジョブであるか否かを検出するグループジョブ検出ステップをさらに有し、
前記代替装置決定ステップが、前記グループジョブに対しては、そのグループジョブと関連づけされた印刷ジョブを有する他の情報処理装置を優先的に前記代替処理可能な他の情報処理装置として決定することを特徴とする請求項１３乃至請求項１６のいずれか１項に記載の情報処理装置の制御方法。
【請求項１８】  前記転送ステップが、前記転送処理中であることを示す情報、前記転送処理が終了したことを示す情報及び前記代替処理可能な他の情報処理装置に関する情報のうち少なくとも１つを、前記情報処理装置と通信可能に接続された予め定められた他の情報処理装置に送信することを特徴とする請求項１３乃至請求項１７のいずれか１項に記載の情報処理装置の制御方法。
【請求項１９】  通信可能に接続された他の情報処理装置からの印刷ジョブ要求をその管理情報に基づいて管理し、予め定められた順序で前記印刷ジョブを通信可能に接続された印刷装置を用いて処理する印刷ジョブ管理ステップを有する情報処理装置の制御方法であって、
前記印刷ジョブ要求の要求元が変更された場合、前記印刷ジョブ管理ステップが、前記要求元が変更された印刷ジョブの管理情報を、変更後の要求元に対応する情報に変更することを特徴とする情報処理装置の制御方法。
【請求項２０】  前記処理が完了した印刷ジョブについて、当該印刷ジョブの管理情報に基づいてその要求元に印刷ジョブの完了を通知する通知ステップをさらに有することを特徴とする請求項１９記載の情報処理装置の制御方法。
【請求項２１】  前記印刷ジョブ管理ステップが、前記印刷ジョブ要求の中に、互いに関連づけされたグループジョブが含まれる場合、関連づけされた全てのグループジョブを連続して印刷処理するように管理を行うことを特徴とする請求項１９又は請求項２０記載の情報処理装置の制御方法。
【請求項２２】  前記印刷ジョブ管理ステップが管理する印刷ジョブの要求元情報処理装置からの探索要求に応答して、当該印刷ジョブを代替処理可能な他の情報処理装置を当該印刷ジョブの管理情報に基づき決定し、前記要求元情報処理装置に通知する探索ステップをさらに有することを特徴とする請求項１９乃至請求項２１のいずれか１項に記載の情報処理装置の制御方法。
【請求項２３】  前記印刷ジョブが、他の印刷ジョブと関連づけされているグループジョブである場合、前記探索ステップが、前記印刷ジョブと関連づけされた印刷ジョブの要求元情報処理装置を前記代替処理可能な他の情報処理装置として優先的に決定することを特徴とする請求項２２に記載の情報処理装置の制御方法。
【請求項２４】  前記探索ステップが、前記代替処理可能な他の情報処理装置を決定できない場合、自らが存在する情報処理装置を前記代替処理可能な他の情報処理装置として決定することを特徴とする請求項２２又は請求項２３に記載の情報処理装置の制御方法。
【請求項２５】  請求項１３乃至請求項２４のいずれか１項に記載の情報処理装置の制御方法を、コンピュータに実行させるためのプログラム。
【請求項２６】  請求項１３乃至請求項２４のいずれか１項に記載の情報処理装置の制御方法を、コンピュータに実行させるためのプログラムを格納したコンピュータ読みとり可能な記録媒体。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
【課題を解決するための手段】
すなわち、本発明の要旨は、動作終了処理が要求された際に、自装置内に処理が完了していない未完了印刷ジョブが存在するか否かを検出する未完了ジョブ検出手段と、未完了印刷ジョブが検出された場合、その未完了印刷ジョブを代替処理可能な他の情報処理装置を決定する代替装置決定手段と、決定された代替処理可能な他の情報処理装置に対し、未完了印刷ジョブを転送する転送手段と、転送の終了後、動作終了処理を行う終了手段を有することを特徴とする情報処理装置に存する。
【手続補正５】
【補正対象書類名】明細書
【補正対象項目名】００２０
【補正方法】変更
【補正の内容】
【００２０】
また、本発明の別の要旨は、動作終了処理が要求された際に、自装置内に処理が完了していない未完了印刷ジョブが存在するか否かを検出する未完了ジョブ検出ステップと、未完了印刷ジョブが検出された場合、その未完了印刷ジョブを代替処理可能な他の情報処理装置を決定する代替装置決定ステップと、決定された他の情報処理装置に対し、未完了印刷ジョブを転送する転送ステップと、転送の終了後、動作終了処理を行う終了ステップを有することを特徴とする情報処理装置の制御方法に存する。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
また、本発明の別の要旨は、通信可能に接続された他の情報処理装置からの印刷ジョブ要求を管理し、予め定められた順序で印刷ジョブを通信可能に接続された印刷装置を用いて処理する印刷ジョブ管理手段を有する情報処理装置であって、印刷ジョブ要求の要求元が変更された場合、印刷ジョブ管理手段が、要求元が変更された印刷ジョブの管理情報を、変更後の要求元に対応する情報に変更することを特徴とする情報処理装置に存する。
【手続補正１１】
【補正対象書類名】明細書
【補正対象項目名】００２６
【補正方法】変更
【補正の内容】
【００２６】
また、本発明の別の要旨は、通信可能に接続された他の情報処理装置からの印刷ジョブ要求をその管理情報に基づいて管理し、予め定められた順序で印刷ジョブを通信可能に接続された印刷装置を用いて処理する印刷ジョブ管理ステップを有する情報処理装置の制御方法であって、印刷ジョブ要求の要求元が変更された場合、印刷ジョブ管理ステップが、要求元が変更された印刷ジョブの管理情報を、変更後の要求元に対応する情報に変更することを特徴とする情報処理装置の制御方法に存する。
【手続補正１２】
【補正対象書類名】明細書
【補正対象項目名】００２７
【補正方法】変更
【補正の内容】
【００２７】
また、本発明の別の要旨は、本発明の情報処理装置の制御方法を、コンピュータに実行させるためのプログラムに存する。
【手続補正１３】
【補正対象書類名】明細書
【補正対象項目名】００２８
【補正方法】変更
【補正の内容】
【００２８】
また、本発明の別の要旨は、本発明の情報処理装置の制御方法を、コンピュータに実行させるためのプログラムを格納したコンピュータ装置読みとり可能な記録媒体に存する。
【手続補正１４】
【補正対象書類名】明細書
【補正対象項目名】００２９
【補正方法】削除
【補正の内容】